(57)【特許請求の範囲】
【請求項１】
便器の後方部に枢支されるべく、インサート成形により作製された発泡樹脂製の本体部と、前記インサート成形と同時に前記本体部の裏面に形成される第１の穴と、前記インサート成形と同時に前記本体部内に埋設された金属製のインサート部材と、前記インサート成形の前に前記インサート部材に穿設され、前記第１の穴に対して同芯をなし且つ前記第１の穴よりも小径をなし、前記第１の穴と連接する第２の穴と、前記本体部裏面から前記第１の穴及び第２の穴に嵌着され、前記便器のリム上に着座するための弾性体の脚部とを備えた、便座装置。
【請求項２】
前記本体部の形成の際に、前記枢支のためのピンが挿入されるように前記インサート部材に予め穿設されている穴と同芯となるように前記本体部の端部に穴を形成するようにした、請求項１記載の便座装置。
【発明の詳細な説明】
【０００１】
【発明の属する技術分野】
本発明は、ヒータなしでも冷感を惹起させない便座装置及びその製造方法に関するものである。
【０００２】
【従来の技術】
従来のヒータ・レスの便座装置、例えば特開２００１−２４５８２３号公報に開示されている便座装置は、強度確保のための樹脂製の本体部、保温断熱のための発泡層及び表皮材の稠密３層構造になっており、成型機を用いて、射出成形されるものである。
【０００３】
【発明が解決しようとする課題】
ところが、上記した便座装置においては、３層構造となっているので、表側と裏側との間で美観が異なり、人によっては少し違和感を催す場合がある。固より、機能に関連する訳ではないので製品上の問題は惹起されないが、商品の性質上、ユーザのフィーリングが商品価値を左右することに鑑みれば、この問題は、決して看過できるものではない。
【０００４】
それ故に、本発明は、表面の外観を統一した便座装置を提供することを、技術的課題とするものである。
【０００５】
【課題を解決するための手段】
上記技術的課題を解決するために請求項１記載の発明において講じた第１の技術的手段は、便器の後方部に枢支されるべく、インサート成形により作製された発泡樹脂製の本体部と、前記インサート成形と同時に前記本体部の裏面に形成される第１の穴と、前記インサート成形と同時に前記本体部内に埋設された金属製のインサート部材と、前記インサート成形の前に前記インサート部材に穿設され、前記第１の穴に対して同芯をなし且つ前記第１の穴よりも小径をなし、前記第１の穴と連接する第２の穴と、前記本体部裏面から前記第１の穴及び第２の穴に嵌着され、前記便器のリム上に着座するための弾性体の脚部とを備えた、便座装置を構成したことである。
【０００７】
上記技術的課題を解決するために請求項２記載の発明において講じた技術的手段は、第１の技術的手段において、前記本体部の形成の際に、前記枢支のためのピンが挿入されるように前記インサート部材に予め穿設されている穴と同芯となるように前記本体部の端部に穴を形成するようにしたことである。
【０００８】
【発明の実施の形態】
以下、本発明に係る便座装置の一実施形態を添付図面にもとづいて説明する。
【０００９】
図１及び図２において、人体局部洗浄装置１０は便器１２を備える。便器１２の後部の上面には、ケーシング１４が載置されている。ケーシング１４には、便座装置１６および便蓋１４の後方部が共通のピン１８にて枢支されている。ケーシング１２内には、洗浄装置の本体部（図示略）が収容されており、そのノズル２２・２４が、便器１２内に伸長して、便座装置１６上の使用者の肛門や女性使用者のビデ部を噴射洗浄するようになっている。
【００１０】
図３〜図５において特に明瞭に示されるように、便座装置１６は、発泡樹脂製の本体部３０、便器１２の上面リム１２Ａ上に着座すべく本体部３０の裏面３２に装架された４個の弾性体（ゴム製）の脚部４０及び本体部３０内に埋設された金属製のインサート部材（補強板）５０を備える。後で詳細に述べるように、本体部３０は注入成形されるが、この注入成形の際に、インサート部材５０に予め穿設されている穴５２と同芯となるように本体部３０の裏面側に、インサート部材５０の外側（リム側）及び内側に位置する穴３２及び３４が夫々形成される。そして、本体部３０及びインサート部材５０が一体成形された後、前記脚部４０の大径部４２並びに小径部４４が、夫々、本体部３０の穴３２並びにインサート部材５０の穴５２及び本体部３０の穴３４に嵌着される。
【００１１】
また、本体部３０の端部の両側の一対の耳部３６Ａ・３６Ｂには、インサート部材５０の端部に予め穿設されている穴５６と同芯となるように本体部３０の端部に穴３８Ａ・３８Ｂが、樹脂成形時に形成されるようになっている。ピン１８・１８が穴３８Ａ・３８Ｂに挿架されることにより、便座装置１６が、ケース１４に回動可能に装架される。尚、穴３８Ａは貫通穴で、穴３８Ｂはブラインドボアである。
【００１２】
上記したような構成を備える便座装置１６は、以下のような手順で、製造される。
【００１３】
本体部３０と相似の平面形状を備えるインサート部材５０を準備する。インサート部材５０には、予め、４個の穴５２及び一対の端部穴５６が穿設されているものとする。インサート部材５０は、樹脂製の一体成形品であるが、鉄その他の金属で一体成形しても良い。
【００１４】
インサート部材５０を、図６及び図７に示すように、成形装置６０内に、位置される。すなわち、成形装置６０の下型６０Ａには４個の段付突起６２（２個のみ図示）が上向きに形成されており、インサート部材５０の穴５２に段付突起６２の先端部６２１が挿入する態様で、インサート部材５０が段付突起６２のベース部６２３に支持される。また、インサート部材５０の穴５６の開口端部には、成形装置６０の下型６０Ａに形成されて水平方向に突出する突起部６４が弾性的に挿入される。この弾性的挿入は、成形装置６０の下型６０Ａ及び上型６０Ｂをシリコン樹脂から形成することにより、可能とされる。
【００１５】
上記の要領でインサート部材５０を成形装置６０の下型６０Ａに設置した後、上型６０Ｂで下型６０Ａを覆い、インサート部材５０が成形装置６０の内部空間６０Ｃ内に浮いた態様で支持する。
【００１６】
次いで、本体部３０の原材料たる樹脂の発泡体を成形装置６０の内部空間６０Ｃ内に流し込み、所定時間経過後つまり発泡体が固化した時期を見計らって、成形装置６０を、再び下型６０Ａと上型６０Ｂとを分割すると、インサート部材５０が埋設された本体部３０が得られる。
【００１７】
かようにして得られた本体部３０の裏面側３２には、インサート部材５０の外側（リム側）及び内側に位置する穴３２１及び３４が夫々形成され、これらの穴３２・３４は、インサート部材５０に予め穿設されている穴５２と同芯となっている。そして、脚部４０の大径部４２並びに小径部４４が、夫々、本体部３０の穴３２１並びにインサート部材５０の穴５２及び本体部３０の穴３４に嵌着されることにより、便座装置１４が完成する。
【００１８】
上記したような手順を経て形成された便座装置３０は、ピン１８を介してインサート部材５０に予め穿設されている穴５２と同芯となるように本体部３０の裏面側に、インサート部材５０の外側（リム側）及び内側に位置する穴３２及び３４が夫々形成される。そして、本体部３０及びインサート部材５０が一体成形された後、前記脚部４０の大径部４２並びに小径部４４が、夫々、は、本体部３０の穴３２１並びにインサート部材５０の穴５２及び本体部３０の穴３４に嵌着される。
【００１９】
上記した手順においては、樹脂物に穴を穿設することがないので、穴の穿設中に樹脂物が破損したり亀裂が入ったりすることがない。更に、周知のように便座装置１６の本体部３０上に人が着座すると、脚部４０及びピン１８に相当の力が作用するが、これらの力は、インサート部材５０で受けられ、本体部３０に作用を及ぼすものではない。また、本体装置３０自体、インサート部材５０を埋設することにより補強を図っているので、インサート部材５０がない場合に比べて、厚みを小さく設定できる。
【００２０】
【発明の効果】
請求項１の発明によれば、便器の後方部に枢支されるべき発泡樹脂製の本体部及び前記便器のリム上に着座すべく前記本体部の裏面に装架された弾性体の脚部及び前記本体部内に埋設されたインサート部材とからなる、便座装置を構成したので、便座装置の内外表面の美感を共通化でき、違和感を催すことはない。また、本体部の厚みを大きくすることなく、所定の強度を保持できる。
【００２１】
しかも、請求項１の発明においては、前記本体部の形成の際に、前記インサート部材に予め穿設されている穴と同芯となるように前記本体部の裏面側に穴を形成し、前記脚部は、少なくとも前記裏面側の穴に嵌したので、脚部から本体部へ作用する力（本体部への使用者の着座時に便器リムからの反力）をインサート部材で受けることにより、この力を本体部に及ばないようにして、本体部の補強を図ることができる。
【００２２】
請求項２の発明によれば、請求項１の発明において、前記本体部の形成の際に、前記枢支のためのピンが挿入されるように前記インサート部材に予め穿設されている穴と同芯となるように前記本体部の端部に穴を形成するようにしたので、着座時にピンから本体部に作用する荷重をインサート部材で受けることにより、この力を本体部に及ばないようにして、本体部の補強を図ることができる。
【図面の簡単な説明】
【図１】本発明にかかる便座装置が装着される人体局部洗浄装置の一実施態様の斜視図である。
【図２】図１に示す人体局部洗浄装置の部分側面図である。
【図３】本発明にかかる便座装置の一実施形態の平面図である。
【図４】図３のＡ−Ａ線に沿った断面図である。
【図５】図３のＢ−Ｂ線に沿った断面図である。
【図６】図３に示す便座装置の本体部・インサート部材の一体形成過程を示す、成型装置の内部の断面図である。
【図７】図３に示す便座装置の本体部・インサート部材の一体形成過程を示す、成型装置の内部の平面図である。
【符号の説明】
１２・・・便器
１２Ａ・・リム
１４・・・ケーシング
３０・・・本体部
３２・・・裏面
４０・・・脚部
５０・・・インサート部材
【図１】
0004100051.tif 000002
【図２】
0004100051.tif 000003
【図３】
0004100051.tif 000004
【図４】
0004100051.tif 000005
【図５】
0004100051.tif 000006
【図６】
0004100051.tif 000007
【図７】
0004100051.tif 000008